【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
ビデオ情報を符号化するように構成された装置であって、前記装置は、
第１のアクセスユニットを有する第１のビデオレイヤに関連付けられたビデオ情報を記憶するように構成されたメモリユニットと、
前記メモリユニットと通信しているプロセッサとを備え、前記プロセッサは、
前記第１のアクセスユニットが、少なくとも１つのピクチャのランダムアクセススキップド進み（ＲＡＳＬ）ピクチャが出力されるべきではないという第１の指示に関連付けられたイントラランダムアクセスポイント（ＩＲＡＰ）ピクチャである前記少なくとも１つのピクチャを有するかどうかを決定することと、
前記第１のアクセスユニットが前記第１の指示に関連付けられたＩＲＡＰピクチャである少なくとも１つのピクチャを有すると決定することに応答して、前記第１の指示に関連付けられたＩＲＡＰピクチャではない前記第１のアクセスユニットの中の各ピクチャのピクチャ順序カウント（ＰＯＣ）の１つまたは複数の最上位ビット（ＭＳＢ）のみをリセットするための第２の指示をビットストリームの中で提供することと
を行うように構成される、装置。
【請求項２】
ビデオ情報を復号するように構成された装置であって、前記装置は、
第１のアクセスユニットを有する第１のビデオレイヤに関連付けられたビデオ情報を記憶するように構成されたメモリユニットと、
前記メモリユニットと通信しているプロセッサとを備え、前記プロセッサは、
前記第１のアクセスユニットが、少なくとも１つのピクチャのランダムアクセススキップド進み（ＲＡＳＬ）ピクチャが出力されるべきではないという第１の指示に関連付けられたイントラランダムアクセスポイント（ＩＲＡＰ）ピクチャである前記少なくとも１つのピクチャを有するかどうかを決定することと、
前記第１のアクセスユニットが前記第１の指示に関連付けられたＩＲＡＰピクチャである少なくとも１つのピクチャを有すると決定することに応答して、前記第１の指示に関連付けられたＩＲＡＰピクチャではない前記第１のアクセスユニットの中の各ピクチャのピクチャ順序カウント（ＰＯＣ）の１つまたは複数の最上位ビット（ＭＳＢ）のみをリセットするための第２の指示をビットストリームの中で提供することと
を行うように構成される、装置。
【請求項３】
前記プロセッサは、前記第１の指示に関連付けられたＩＲＡＰピクチャではない前記第１のアクセスユニットの中の前記各ピクチャの前記ＰＯＣの前記１つまたは複数のＭＳＢがリセットされるべきであることを示す１つまたは複数のフラグをシグナリングするように構成される、請求項１または請求項２に記載の装置。
【請求項４】
前記第１のビデオレイヤは、ベースレイヤであり、前記プロセッサは、前記第１のアクセスユニットが瞬時デコーダリフレッシュ（ＩＤＲ）ピクチャである前記第１のビデオレイヤの中のピクチャを有するかどうかを決定し、前記第１のアクセスユニットがＩＤＲピクチャである前記第１のビデオレイヤの中のピクチャを有すると決定することに応答して、前記第１のアクセスユニットの中の、ＩＤＲピクチャでない各ピクチャの１つまたは複数の最下位ビット（ＬＳＢ）がリセットされるべきであることを示す１つまたは複数のフラグをシグナリングするようにさらに構成される、請求項１または請求項２に記載の装置。
【請求項５】
前記プロセッサは、復号順序において前記各ピクチャのうちの１つに後続し、前記各ピクチャのうちの前記１つと同じビデオレイヤの中にある１つまたは複数のピクチャに関連付けられた１つまたは複数のフラグをシグナリングするようにさらに構成され、前記１つまたは複数のフラグは、前記１つまたは複数のピクチャの各々のＰＯＣがリセットされるべきであることを示す、請求項１または請求項２に記載の装置。
【請求項６】
前記プロセッサは、前記１つまたは複数のピクチャの各々の前記ＰＯＣの１つまたは複数のＭＳＢがリセットされるべきであることを示すことによって、前記１つまたは複数のフラグをシグナリングするようにさらに構成される、請求項５に記載の装置。
【請求項７】
前記プロセッサは、前記第１のアクセスユニットが接合点の直後にくるかどうかを決定するようにさらに構成され、前記プロセッサは、前記第１のアクセスユニットが接合点の直後にくると決定することにさらに応答して、前記第２の指示を前記ビットストリームの中で提供するように構成される、請求項１または請求項２に記載の装置。
【請求項８】
前記装置は、前記ビットストリームの中の前記ビデオ情報を符号化するようにさらに構成される、請求項１に記載の装置、または
前記装置は、前記ビットストリームの中の前記ビデオ情報を復号するようにさらに構成される、請求項２に記載の装置。
【請求項９】
前記装置は、コンピュータ、ノートブック、ラップトップ、コンピュータ、タブレットコンピュータ、セットトップボックス、電話ハンドセット、スマートフォン、スマートパッド、テレビジョン、カメラ、ディスプレイデバイス、デジタルメディアプレーヤ、ビデオゲームコンソール、および車載コンピュータからなるグループから選択されたデバイスを備える、請求項１または請求項２に記載の装置。
【請求項１０】
ビデオ情報を符号化する方法であって、前記方法は、
第１のビデオレイヤの第１のアクセスユニットが、少なくとも１つのピクチャのランダムアクセススキップド進み（ＲＡＳＬ）ピクチャが出力されるべきではないという第１の指示に関連付けられたイントラランダムアクセスポイント（ＩＲＡＰ）ピクチャである前記少なくとも１つのピクチャを有するかどうかを決定することと、
前記第１のアクセスユニットが前記第１の指示に関連付けられたＩＲＡＰピクチャである少なくとも１つのピクチャを有すると決定することに応答して、前記第１の指示に関連付けられたＩＲＡＰピクチャではない前記第１のアクセスユニットの中の各ピクチャのピクチャ順序カウント（ＰＯＣ）の１つまたは複数の最上位ビット（ＭＳＢ）のみをリセットするための第２の指示をビットストリームの中で提供することと
を備える、方法。
【請求項１１】
前記第２の指示を前記ビットストリームの中で提供することは、前記第１の指示に関連付けられたＩＲＡＰピクチャではない前記第１のアクセスユニットの中の前記各ピクチャの前記ＰＯＣの前記１つまたは複数のＭＳＢがリセットされるべきであることを示す１つまたは複数のフラグをシグナリングすることを備える、請求項１０に記載の方法。
【請求項１２】
前記第１のビデオレイヤは、ベースレイヤであり、前記方法は、前記第１のアクセスユニットが瞬時デコーダリフレッシュ（ＩＤＲ）ピクチャである前記第１のビデオレイヤの中のピクチャを有するかどうかを決定することと、前記第１のアクセスユニットがＩＤＲピクチャである前記第１のビデオレイヤの中のピクチャを有すると決定することに応答して、前記第１のアクセスユニットの中の、ＩＤＲピクチャでない各ピクチャの１つまたは複数の最下位ビット（ＬＳＢ）がリセットされるべきであることを示す１つまたは複数のフラグをシグナリングすることとをさらに備える、請求項１０に記載の方法。
【請求項１３】
復号順序において前記各ピクチャのうちの１つに後続し、前記各ピクチャのうちの前記１つと同じビデオレイヤの中にある１つまたは複数のピクチャに関連付けられた１つまたは複数のフラグをシグナリングすることをさらに備え、前記１つまたは複数のフラグは、前記１つまたは複数のピクチャの各々のＰＯＣがリセットされるべきであることを示し、ここにおいて、前記１つまたは複数のフラグをシグナリングすることは、前記１つまたは複数のピクチャの各々の前記ＰＯＣの１つまたは複数のＭＳＢがリセットされるべきであることを示すことを好ましくは備える、請求項１０に記載の方法。
【請求項１４】
前記第１のアクセスユニットが接合点の直後にくるかどうかを決定することをさらに備え、前記第２の指示を提供することは、前記第１のアクセスユニットが接合点の直後にくると決定することにさらに応答して、前記第２の指示を前記ビットストリームの中で提供することを備える、請求項１０に記載の方法。
【請求項１５】
実行されたとき、装置に、請求項１０ないし１４のいずれか一項に記載の方法を行わせるコードを備えた非一時的コンピュータ可読媒体。